(57)【要約】少なくとも２個の異なる復号器タイプを備えた無線通信システムにおける時空間エンコードされた信号を識別する方法が開示される。この方法は、タイプ０またはタイプ１で表示される少なくとも一つのパイロット信号を送信端から受信するステップと、前記受信されたパイロット信号でタイプ０またはタイプ１の中でいずれが表示されるかを判定するステップと、前記パイロット信号がタイプ１である場合、時空間復号化を実行するための時空間復号器を活性化するステップと、を含む。【選択図】図３
2009521823.tif 000002
【特許請求の範囲】
【請求項１】
少なくとも２個の異なる復号器タイプを備えた無線通信システムにおける時空間エンコードされた信号を識別する方法であって
タイプ０またはタイプ２で表示される少なくとも一つのパイロット信号を送信端から受信するステップと、
前記受信されたパイロット信号でタイプ０及びタイプ１の中でいずれが表示されるかを判定するステップと、
前記パイロット信号がタイプ１である場合、時空間復号化を実行するための時空間復号器(ｓｐａｃｅ−ｔｉｍｅ  ｄｅｃｏｄｅｒ)を活性化するステップと、を含むことを特徴とする方法。
【請求項２】
前記各々のパイロット信号は、所定パターンを示すことを特徴とする請求項１に記載の方法。
【請求項３】
タイプ０は、時空間エンコードされなかった信号を示し、タイプ０は、時空間エンコードされた信号を示すことを特徴とする請求項１に記載の送信方法。
【請求項４】
前記受信されたパイロット信号のチャンネル条件が臨界値を超過する場合、デフォルト復号器を活性化するステップをさらに含むことを特徴とする請求項１に記載の方法。
【請求項５】
前記受信されたパイロット信号のチャンネル条件が臨界値以下である場合、前記時空間復号器を活性化するステップをさらに含むことを特徴とする請求項４に記載の方法。
【請求項６】
前記パイロット信号がタイプ０である場合、デフォルト復号器を活性化するステップをさらに含むことを特徴とする請求項１に記載の方法。
【請求項７】
前記チャンネル条件がＦＥＲ(Ｆｏｒｗａｒｄ Ｅｒｒｏｒ Ｒａｔｅ)で表示されることを特徴とする請求項１に記載の方法。
【請求項８】
前記タイプ０のパイロット信号及びタイプ１のパイロット信号は、同一情報を含むことを特徴とする請求項１に記載の方法。
【請求項９】
少なくとも２個の復号器タイプの中で少なくとも一つは、時空間復号器を含むことを特徴とする請求項１に記載の方法。
【請求項１０】
少なくとも２個の異なる復号器タイプを備えた無線通信システムにおける復号器タイプを選択する方法であって、
多くのパイロット信号タイプで各々表示される少なくとも２個のパイロット信号を送信端から受信するステップと、
受信されたパイロット信号各々のパイロット信号タイプを判定するステップと、
各々のパイロット信号タイプに対応する各々の復号器の中で少なくとも２個の復号器を利用して各々の受信されたパイロット信号の一部を復号化するステップと、
選択されたパイロット信号に対する復号器タイプを判定するステップと、を含み、
前記パイロット信号は、ＳＮＲ(Ｓｉｇｎａｌ−ｔｏ−ｎｏｉｓｅ ｒａｔｅ)を備えた前記パイロット信号の復号化部分に基礎して選択されることを特徴とする方法。
【請求項１１】
前記多様なパイロット信号タイプは、時空間エンコードされた信号を含むことを特徴とする請求項１０に記載の方法。
【請求項１２】
少なくとも２個の復号器タイプの中で少なくとも一つは、時空間復号器であることを特徴とする請求項１０に記載の方法。
【請求項１３】
前記パイロット信号の復号化部分は、前記パイロット信号の半分と同一であることを特徴とする請求項１０に記載の方法。
【請求項１４】
前記パイロット信号タイプは、タイプ０及びタイプ０で表示されることを特徴とする請求項１０に記載の方法。
【請求項１５】
タイプ０は、時空間エンコードされなかった信号を示し、タイプ１は、時空間エンコードされた信号を示すことを特徴とする請求項１４に記載の送信方法。
【請求項１６】
少なくとも２個の異なる復号器タイプを備えた無線通信システムにおける復号器タイプを選択する方法であって、
少なくとも２個のパイロット信号を送信端から受信するステップと、
デフォルト復号器を利用して各々の受信されたパイロット信号の一部を復号化するステップと、
前記復号化された信号部分の信号タイプに基礎して前記復号器タイプを判定するステップと、を含むことを特徴とする方法。
【請求項１７】
前記パイロット信号タイプは、タイプ０及びタイプ１で表示されることを特徴とする請求項１６に記載の方法。
【請求項１８】
前記タイプ０は、時空間エンコードされなかった信号を示し、前記タイプ１は、時空間エンコードされた信号を示すことを特徴とする請求項１６に記載の方法。
【請求項１９】
前記各々の受信されたパイロット信号の一部は、前記パイロット信号の半分と同一であることを特徴とする請求項１６に記載の方法。
【請求項２０】
少なくとも２個の復号器タイプの中で少なくとも一つは、時空間復号器を含むことを特徴とする請求項１６に記載の方法。
【発明の詳細な説明】
【技術分野】
【０００１】
本発明は、エンコードされた信号を識別する方法に関し、特に、無線通信システムで時空間エンコードされた信号を識別する方法に関する。
【背景技術】
【０００２】
ブロードキャストマルチキャストサービス(ＢＣＭＣＳ：Ｂｒｏａｄｃａｓｔ Ｍｕｌｔｉｃａｓｔ Ｓｅｒｖｉｃｅ)は、同一な情報ストリームを多数のユーザーに同時に送信する能力を提供する。特に、ＢＣＭＣＳは多数のユーザーに共通または同一情報を伝送する柔軟で効率的なメカニズムを提供する。このようなサービスは、同一情報を多数のユーザーに伝送する時、エアネットワークインターフェース及びネットワークリソースを一番効率的な使用するために行われる。送信された情報のタイプは任意のデータタイプができる(例えば、テキスト、マルチメディア、ストリーミングメディア)。ＢＣＭＣＳはＢＣＭＣＳユーザーの密度、送信中の情報(メディアタイプ)、及び利用可能な無線リソースに基礎して一番効率的な送信技術を通じて伝達される。
【０００３】
各ＢＣＭＣＳプログラムのための送信地域は独立的に定義される。ここで、ＢＣＭＣＳプログラムはＢＣＭＣＳ能力を利用して送信された論理コンテンツになる。さらに、ＢＣＭＣＳプログラムは一つ以上のインターネットプロトコルフローで構成される。動作時、プログラムは所定チャンネル上で時間シーケンスで送信できる。
【０００４】
ＢＣＭＣＳプログラムはネットワークの全ての領域または選択された領域に送信できる。これら領域はＢＣＭＣＳプログラムが発生できる無線ネットワークカバレージ領域である送信地域を構成する。送信地域はＢＣＭＣＳプログラムを送信することができる１セットのセル/セクターで定義できる。また、ＢＣＭＣＳプログラムはすべてのユーザーが受信できるか、または暗号化を通じてサブセットユーザーのみに制限することができる。
【０００５】
ＢＣＭＣＳにおいて、送信タイプは“一方向”及び/または“一対多方向”なので、再送信及び受信確認(ａｃｋｎｏｗｌｅｄｇｅｍｅｎｔ)が要求されない。
【０００６】
通常的に、ＢＣＭＣＳ加入はコンテンツ(音楽、ビデオなどのようなメディアタイプ)ではないプログラム(例えば、ＡＢＣ、ＴＮＴ、ＥＳＰＮ)と連関される。すなわち、プログラムを選択することにより、ユーザーは受信を希望するコンテンツタイプを選択する。
【０００７】
また、セルラーネットワークを通じたＢＣＭＣＳでの受信機は、時空間符号化方式(ＳＴＣ：ｓｐａｃｅ−ｔｉｍｅ ｃｏｄｉｎｇ ｓｃｈｅｍｅ)を採用する。特に、ＳＴＣスキームは、多重送信アンテナを利用する無線通信システムでデータ送信の信頼性を改善するに採用される。ＳＴＣは、これらの中で少なくとも一部が信頼性あるデコーディングを許容できるほど充分に良好な状態で送信と受信との間の物理経路を維持しながら、多数の余分データストリームの写本を受信機に送信する。
【０００８】
受信機においては、受信機が受信された信号を適切且つ効率的に復号化できるし、システムが時空間エンコードされた信号を送信するか否かを判定する能力を有することが重要である。そのために、時空間コーディングが使われていることを示す上位層ブロードキャストメッセージを通じて余分の情報をネットワークが送信する必要がある。このような余分の情報によりオーバーヘッドが誘発される。また、送信機での時空間コーディングは、時空間コーディングがターンオン(すなわち、正規送信)されないシステムのための受信機に対して複雑度が増加される特定時空間復号器のために使用される。しかし、これは一層複雑な時空間復号器を必要とする問題がある。
【発明の開示】
【発明が解決しようとする課題】
【０００９】
したがって、本発明は上述したような従来技術の問題点を解決するためになされたもので、その目的は、少なくとも２個の異なる復号器タイプを備えた無線通信システムにおける時空間エンコードされた信号を識別する方法を提供することにある。
【００１０】
本発明の他の目的は、少なくとも２個の異なる復号器タイプを有する無線通信システムにおける復号器タイプを選択する方法を提供することにある。
【００１１】
本発明に係る前述した課題を解決するための手段の説明と後述する実施形態の説明は、例示であり、説明目的のものであり、本発明のさらなる説明を提供することを意図していることを理解すべきである。
【課題を解決するための手段】
【００１２】
本発明の目的を達成するための本発明によると、少なくとも２個の異なる復号器タイプを有する無線通信システムにおける時空間エンコードされた信号を識別する方法が開示される。この方法は、タイプ０またはタイプ１で表示される少なくとも一つのパイロット(ｐｉｌｏｔ)信号を受信端から受信するステップと、受信されたパイロット信号がタイプ０またはタイプ１の中でどのタイプで表示されるかを判定するステップと、パイロット信号がタイプ１である場合、時空間復号化を実行するために時空間復号器を活性化するステップと、を含む。
【００１３】
本発明の他の様態では、少なくとも２個の異なる復号器タイプを備えた無線通信システムにおける復号器タイプを選択する方法が開示される。この方法は多様なパイロット信号タイプで各々表示される少なくとも２個のパイロット信号を送信端から受信するステップと、各々受信されたパイロット信号のパイロット信号タイプを判定するステップと、各々のパイロット信号タイプに対応する各々の少なくとも２個の復号器を利用して各々の受信されたパイロット信号の中で一部を復号化するステップと、選択されたパイロット信号に対する復号器タイプを判定するステップと、を含み、パイロット信号は良好な信号対雑音比(ＳＮＲ：ｓｉｇｎａｌ−ｔｏ−ｎｏｉｓｅ−ｒａｔｉｏ)を備えたパイロット信号の復号化された部分に基礎して選択される。
【００１４】
本発明のまた他の様態では、少なくとも２個の異なる復号器タイプを備えた無線通信システムにおける復号器タイプを選択する方法が開示される。この方法は送信端から少なくとも２個のパイロット信号を受信するステップと、デフォルト復号器を利用して受信された各々のパイロット信号の一部を復号化するステップと、復号化された信号部分の信号タイプに基礎して復号器タイプを判定するステップと、を含む。
【発明を実施するための最良の形態】
【００１５】
以下、本発明の好ましい実施の形態について、添付図面を参照しつつ詳細に説明する。なお、説明において、同一な図面参照符号は、他の図面でも同一な要素に使用される。
【００１６】
現在、セルラーネットワークを通じたＢＣＭＣＳは単一ホップネットワークである。単一ホップネットワークはすべてのエンティティー(ｅｎｔｉｔｙ)/モジュールが最大１ホップ離れたネットワークである。図１は、各々１ホップ離れた複数のモジュールを示す。図１において、２個のＭＳ及び基地局端末(ＢＴＳ：ｂａｓｅｔｅｒｍｉｎａｌ ｓｔａｔｉｏｎ)は各々１ホップ離れている。
【００１７】
カバレッジ領域及び容量を通じてサービスを改善するために、多重ホップ(２個以上のホップ)が使用できる。特に、一貫されたサービス及び改善された容量を提供するために中継を通じた２個以上のホップを採用することができる。そのために、中継局(ＲＳ)は通常のＢＴＳ及びＭＳで表示されるネットワークに導入できる。
【００１８】
図２は、マルチホップシステムにおいてＲＳの例を示す図である。図２に示したように、ＲＳはＢＴＳとＭＳとの間に配置される。ＲＳははＢＴＳ信号を明白またはスマートな方式で‘反復’してＢＣＭＣＳカバレッジを確張する機能をする。従来のシステムによれば、ＢＴＳから離れて位置する(例えば、セル境界辺り)ＭＳは、微弱な信号強度に起因した失敗信号または隣接セル/セクターからの信号に起因した干渉をたびたび経験する。しかし、拡張されたＢＣＭＣＳカバレッジで、充分に強い信号が受信できないＭＳは、ＢＣＭＣＳ信号を復調及び復号化することができる。
【００１９】
上述のように、ＲＳの機能は、例えば明白またはスマートな方式で達成できる。明白な方式は単純信号反復を通じて信号を中継する。また、スマートな方式は、時空間コーディングを採用して送信ダイバーシティ (ｄｉｖｅｒｓｉｔｙ)またはＩＲ(ｉｎｃｒｅｍｅｎｔ ｒｅｄｕｎｄａｎｃｙ)を達成する。
【００２０】
ここで、ＲＳは送信ダイバーシティを達成するために多数のアンテナを具備することができる。多入力、多出力(ＭＩＭＯ：ｍｕｌｔｉ−ｉｎｐｕｔ ｍｕｌｔｉ−ｏｕｔｐｕｔ)は無線リソースの効果を増加させるために送信ダイバーシティを提供することができる。多数のアンテナ使用は広帯域での増加なしにダイバーシティ利得を達成するためにＲＳ及び他の端末(例えば、移動局)を提供する。例えば、時空間コード(ＳＴＣ：ｓｐａｃｅ−ｔｉｍｅｃｏｄｅ)は通信リンクの信頼性を増加させるために使用でき、空間多重化(ＳＭ：ｓｐａｔｉａｌ ｍｕｌｔｉｐｌｅｘｉｎｇ)は送信容量を増加させるために使用でき、またはフルダイバーシティフルレート時空間コード(ＦＤＦＲ−ＳＴＣ：ｆｕｌｌｄｉｖｅｒｓｉｔｙ ｆｕｌｌ ｒａｔｅ ｓｐａｃｅ ｔｉｍｅ ｃｏｄｅ)はフルダイバーシティを達成するために使用される。
【００２１】
図３は、本発明の一実施形態による中継されたＢＣＭＣＳのスキームを示す。図３において、時空間コーディングは２個の周波数キャリア(すなわち、ｆ１及びｆ２)及び一つのＲＳを具備したマルチホップシステムに導入される。
【００２２】
ＢＴＳはＢＣＭＣＳパケット(例えば、Ａ、Ｂ、Ｃ、Ｄ)を周波数(すなわち、f１)上のシーケンスでブロードキャストする。その後、ＲＳはブロードキャストされたＢＣＭＣＳパケットを受信し、これら‘中継された信号’をＭＳに送信する前に復号化する。すなわち、例えば、f１上のＢＴＳからブロードキャストされたパケットＡを受信してパケットＡを復号化した後、ＲＳは異なる周波数(すなわち、f２)を利用してパケットＡ１’及びＡ２’(‘中継された信号’を称する)をＭＳに送信することができる。中継された信号は、例えば単純反復または時空間エンコードを基礎とすることができる。単純反復において、パケットＡはオリジナル信号を単純に中継して、パケットＡ＝パケットＡ１’＝パケットＡ２’になる。また、時空間コーディングは送信ダイバーシティを使用することができる。
【００２３】
図３の送信ダイバーシティにおいて、ＲＳによりＭＳに送信されたＢＣＭＣＳパケットは２個のタイプ、即ち、タイプ１及びタイプ２に分離される。ここで、ＲＳは一つの周波数を共有するＲＳ及び/または２個のアンテナを具備したＲＳを基礎として２個のタイプ(すなわち、タイプ１及びタイプ２)に分離できる。しかし、ＲＳは２個のアンテナに制限されないで２個以上のアンテナを具備することができる。上述のように、ＲＳはパケットＡのＢＴＳ送信を復号化し、タイプ１のＲＳとタイプ２のＲＳに対する‘中継された信号’Ａ１’及びＡ２’を各々送信する。例えば、ＲＳタイプ１は同一信号または反復されたパケット(例えば、パケットＡ)を送信して、パケットＡ＝パケットＡ１’になる。同時に、ＲＳタイプ２は送信ダイバーシティの提供の代わりに、時空間エンコードされたバージョン、パケットＡ２’を送信する。ここで、時空間コードは、例えば、アラモウティスキーム(Ａｌａｍｏｕｔｉｓｃｈｅｍｅ)に基礎する(アラモウティスキームの詳細は、Ａｌａｍｏｕｔｉ、Ｓ.Ｍ.Ａ Ｓｉｍｐｌｅ Ｔｒａｎｓｍｉｔ Ｄｉｖｅｒｓｉｔｙ Ｔｅｃｈｎｉｑｕｅ ｆｏｒＷｉｒｅｌｅｓｓ Ｃｏｍｍｕｎｉｃａｔｉｏｎ、ＩＥＥＥ Ｊｏｕｒｎａｌ ｏｎ Ｓｅｌｅｃｔ Ａｒｅａｓ ｉｎ Ｃｏｍｍｕｎｉｃａｔｉｏｎｓ、Ｖｏｌ.１６, Ｎｏ.８、(１９９８．１０)、ｐｐ.１４５１−１４５８参照)。パケットＡ１’及びＡ２’が同一送信時間スロットで同一周波数(すなわち、f２)上に送信されるので、タイプ１及びタイプ２に対する中継された信号は異なるフォーマットである必要がある。すなわち、タイプ１がオリジナルパケットの単純反復である場合には、タイプ２は時空間エンコードされ、タイプ２がオリジナルパケットの単純反復である場合には、タイプ１は時空間エンコードされる。
【００２４】
図４は、本発明の他の実施形態による中継されたＢＣＭＣＳのスキームを示す。図４において、時分割多重化(ＴＤＭ)を備えた単一周波数キャリアはマルチホップシステムに適用される。
【００２５】
ＢＴＳ及びＭＳが時分割多重化(ＴＤＭ)形式で同一スペクトラムを共有するので、単一パケットに対する送信時間は２倍になる。上述のように、ＢＴＳは第１の送信時間スロットの間オリジナル信号(すなわち、パケットＡ)をブロードキャストする。ＲＳはパケットＡのＢＴＳ送信を受信して復号化する。その後、ＲＳは後続送信時間スロットの間‘中継された信号’Ａ２’を送信する。ここで、パケットＡ２’はパケットＡの単純反復であるか、または時空間エンコードである。同一送信時間スロットにおいて、ＢＴＳはパケットＡをパケットＡ１’の形態で再送信する。ここで、パケットＡ１’はパケットＡの単純反復、時空間エンコードされたパケットＡ、または異なるパリティービットパケットＡである。要約すれば、中継された信号Ａ２’及びＢＴＳ再送された信号Ａ１’を設計する多数のオプションが存在する。例えば、パケットＡ１’及びＡ２’は全部単純反復であってもよい。ここで、パケットＡ１’＝パケットＡ２’＝パケットＡである。また、パケットＡ１’及びパケットＡ２’は時空間エンコードすることができる。
【００２６】
類似な構成を後続ＢＴＳ送信に適用することができる(例えば、パケットＢ及びパケットＢ１’/Ｂ２’)。
【００２７】
上述のように、送信端は時空間エンコードされた信号を含む多様な形態で信号を伝送することができる。ここで、送信端はＢＴＳまたはＲＳである。これら送信信号を受信機により成功的に受信及び復号化することが重要である。
【００２８】
希望しないオーバーヘッドを誘発して、そして/または特に複雑な時空間復号器を要求する受信機の現在設計と関連された問題を解決するために、上述のように、受信機は、システムが時空間エンコードされた信号を送信しているか否かを判定できるように設計する必要がある。時空間復号器に関するより詳細な情報は、“Ｇｅｓｂｅｒｔ、Ｄａｖｉｄ、ＦｒｏｍＴｈｅｏｒｙ ｔｏ Ｐｒａｃｔｉｃｅ：Ａｎ Ｏｖｅｒｖｉｅｗ ｏｆ ＭＩＭＯ  Ｓｐａｃｅ−Ｔｉｍｅ Ｃｏｄｅｄ Ｗｉｒｅｌｅｓｓ Ｓｙｓｔｅｍｓ、ＩＥＥＥ Ｊｏｕｒｎａｌｏｎ Ｓｅｌｅｃｔｅｄ Ａｒｅａｓ Ｉｎ Ｃｏｍｍｕｎｉｃａｔｉｏｎｓ、Ｖｏｌ.２１, Ｎｏ.３,(２００３．４)、ｐｐ.２８１−３０２：を参照することができる。
【００２９】
Ａｌａｍｏｕｔｉ時空間コードを採用するシステムにおいて、パイロットトーンは時空間コーディングが活性化される場合に時空間コーディングされる。類似に、時空間コーディングが活性化されない場合には、パイロットトーンは時空間コーディングされない。本発明では、タイプ０セクターがオリジナルパイロット信号を送信して、タイプ１セクターが時空間エンコードされたパイロット信号を送信すると仮定する。
【００３０】
本発明の一実施形態において、システムが時空間エンコードされた信号を送信しているか否かは、ＭＳがスマートな方式でパイロット信号またはパイロットトーンを処理することにより判定可能である。すなわち、パイロット信号が異なる信号パターンを含むので、ＭＳはパイロット信号を基礎として異なるパターンを認識することができる。特に、これはパイロット信号が時空間エンコードされる時にパイロット信号が所定のパターンを有することを意味する。また、パイロット信号が時空間エンコードされないことを意味する、時空間コーディングが活性化されない時、パイロット信号は時空間エンコードされたパイロット信号とは異なるパターンを有する。本質的に、このような区別は、受信されたパイロット信号が時空間エンコードされてＭＳがパイロット信号をスマートに処理するか否かを判定できるようにする。
【００３１】
ＭＳはパイロット信号を処理して、タイプ１パイロット信号(時空間エンコードされたパイロット信号)の検出を試みる。検出はＮｅｙｍａｎ  Ｐｅａｒｓｏｎ法のような多数の利用可能な方法の中で一つにより実行できる。
【００３２】
タイプ１パイロット信号が検出された場合、ＭＳは、受信されたパイロット信号が時空間エンコードされるか異なるように配置され、時空間コーディングが活性化されると仮定する。さらに、タイプ１パイロット信号が検出されたがタイプ０パイロット信号ではない場合、ＭＳは時空間コーディングを利用して復号化される。
【００３３】
また、タイプ０パイロット信号が検出されたがタイプ１パイロット信号ではない場合、ＭＳは正規復号器を利用して復号化される(例えば、時空間コーディングがない)。タイプ０及びタイプ１パイロット信号が検出された場合、デフォルト復号器を使用することができる。デフォルト復号器はプリセットできる。しかし、タイプ０及びタイプ１パイロット信号が全部検出されない場合には、時空間復号器は使用できない。
【００３４】
また、ＭＳはデフォルト復号器の正規検出機を利用してＢＣＭＣＳ信号を処理する。ＢＣＭＣＳ受信品質が充分に良好であれば、または良好である時、ＭＳは、パイロット信号が時空間エンコードされないで、パイロット信号が時空間エンコードされなくてもパイロット信号が復号化される通常の方式でパイロット信号を処理すると仮定する。言い換えると、受信されたパイロット信号はデフォルト復号器により処理することができる。受信品質は、例えば、２個のパイロットのＳＮＲ(タイプ１パイロット用ＳＮＲ及びタイプ２パイロット用ＳＮＲ)を利用して測定することができる。しかし、ＢＣＭＣＳ受信品質が劣悪であるか不十分な場合、ＭＳは時空間復号器を使用することができる。時空間復号器がデフォルト復号器より良好に実行される場合、ＭＳはパイロット信号が時空間エンコードされて時空間復号器により切換されると仮定できる。また、本発明では時空間復号器をデフォルト復号器として設定することが可能である。
【００３５】
また、ＭＳはデフォルト復号器及び時空間復号器によりＢＣＭＣＳ信号を復号化することができる。この場合、ＭＳは少なくとも２個のパイロット信号を受信して、各々のパイロット信号のパイロット信号タイプを判定する。例えば、パイロット信号のパイロット信号タイプはタイプ０(時空間エンコードされない)またはタイプ１(時空間エンコードされる)である。判定されたパイロット信号タイプ(例えば、タイプ０またはタイプ１)を基礎として、ＭＳは各々のパイロット信号に対応する復号器を利用して各々のパイロット信号の一部を検出する。その後、検出されたパイロット信号の部分を比較し、良好な出力を有するパイロット信号が選択される。
【００３６】
また、前記スキームを組み合わせることが可能である。
【００３７】
本発明の他の実施形態において、受信機の設計を単純化することができる。ＭＳがシステムから充分に強い信号を受信した場合、ＭＳは付加的な信号処理を典型的に要求する時空間復号化を実行する必要がない。その代わりに、ＭＳは一層単純な受信機を具現することができる。
【００３８】
ＭＳが充分に良好なチャンネル条件を有する場合、ＭＳは時空間復号化を実行する必要がない。特に、ＭＳは少なくとも２個のパイロット信号を受信することができる。ＭＳはデフォルト復号器を利用して各々のパイロット信号の一部または半分を検出する。パイロット信号の一部または半分が成功的に検出されると、ＭＳはデフォルト復号器を利用してパイロット信号の残りを復号化することができる。デフォルト復号器を使用する時には、パイロット信号が時空間エンコードされないことを示す。例えば、ＭＳが、時空間エンコードの不在を示すタイプ０パイロット信号を受信した場合、デフォルト復号器が採用される。
【００３９】
しかし、受信されたパイロット信号の一部または半分が成功的に復号化されない場合、ＭＳは時空間復号器に切り替えるか時空間復号器を使用してパイロット信号を復号化する。時空間復号器が使用された時には、パイロット信号が時空間エンコードされたことを示す。例えば、ＭＳが、時空間エンコードの存在を示す組み合わされたタイプ１及びタイプ０パイロット信号を受信した場合、時空間復号器が採用される。
【００４０】
また、ＭＳがタイプ１信号を検出することができないと判定した場合、ＭＳは時空間エンコードがなくてもタイプ０信号を復調するように判定することができる。類似に、ＭＳがタイプ１信号を検出してタイプ０信号を検出することができない場合、上述のように、ＭＳはタイプ１信号を判定することができる。
【００４１】
上述した実施形態は時空間コーディングスキームに制限されないで他の時空間コードにも適用できる。さらに、上述のように、システムはＢＣＭＣＳシステムに制限されないで、セルラーネットワーク、点対点システム、及び/または送信ダイバーシティを適用する任意の他のタイプのシステムに適用できる。
【００４２】
以上、本発明の詳細な説明においては具体的な実施形態に関して説明したが、形式や細部についての様々な変更が、特許請求の範囲の記載により規定されるような本発明の精神及び範囲から逸脱することなく行われることが可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００４３】
【図１】各々１ホップアパート(ｏｎｅ  ｈｏｐ ａｐａｒｔ)である複数のモジュールを示す図である。
【図２】マルチホップシステムにおける中継局(ＲＳ：ｒｅｌａｙ ｓｔａｔｉｏｎ)の一例を示す図である。
【図３】本発明の一実施形態による中継ＢＣＭＣＳのスキームを示す図である。
【図４】本発明の他の実施形態による中継ＢＣＭＣＳのスキームを示す図である。
【図１】
2009521823.tif 000003
【図２】
2009521823.tif 000004
【図３】
2009521823.tif 000005
【図４】
2009521823.tif 000006
【国際調査報告】
2009521823.tif 000007
2009521823.tif 000008
2009521823.tif 000009